(57)【特許請求の範囲】
【請求項１】
注射針と、上記注射針の一側に配置されるシリンダ体と、上記シリンダ体内部に摺動可能に結合されたピストンと、上記シリンダ体と上記注射針とを連結する連結管部とを含む注射装置；及び
上記注射装置に含まれた上記注射針を通してガイドワイヤを挿入するために上記ガイドワイヤを移送する装置として、上記注射装置を支持する支持部が形成されたハウジングを含むガイドワイヤ移送装置；を含み、
上記注射装置が上記ガイドワイヤ移送装置の上側に位置するように上記支持部が上記注射装置を支持することにより、上記注射装置と上記ガイドワイヤ移送装置はピストル形状（gun-type）に一体化されて、注射とガイドワイヤ移送を連続的に行い、
上記ガイドワイヤ移送装置は、
上記ガイドワイヤが接触するように上記ハウジングの内部に回動可能に設けられた駆動ローラーと、
上記ガイドワイヤを上記駆動ローラーに密着させて回動することにより上記ガイドワイヤを移送する移送ローラーと、
上記駆動ローラーを駆動するように上記ハウジングに設けられた駆動源と、
上記ガイドワイヤの自由移送又はその移送の準備をするために移送ローラーを上記駆動ローラーから選択的に離隔させる移送ローラー離隔手段とを含むことを特徴とする、
カテーテル施術用ガイドワイヤ挿入器。
【請求項２】
上記注射装置の上記連結管部には、その一側から分岐され、上記ガイドワイヤを上記注射針内部に案内するワイヤ通路を有する分岐管部が備えられることを特徴とする、
請求項１に記載のカテーテル施術用ガイドワイヤ挿入器。
【請求項３】
上記ピストンの端部には、上記ピストンの移動によって上記ガイドワイヤ移送装置の上側部を摺動する摺動部が結合され、
施術者が上記ピストンを片手でも容易に作動させて注射できるように上記摺動部の外部には注射用引き金が備えられることを特徴とする、
請求項２に記載のカテーテル施術用ガイドワイヤ挿入器。
【請求項４】
上記支持部の下側には、上記ガイドワイヤを案内する案内孔が支持部の長手方向に沿って形成された案内帯が形成され、
上記案内帯には、上記ガイドワイヤが移送されない場合にガイドワイヤが曲げられて出るように上記案内孔が露出される逃避部が形成されることを特徴とする、
請求項１に記載のカテーテル施術用ガイドワイヤ挿入器。
【請求項５】
上記駆動源は、上記駆動ローラーに結合されたスパイラルトーションスプリングであり、
上記ハウジングには上記スパイラルトーションスプリングにねじり力を付与するように上記駆動ローラーを回動させる装填ノブが設けられる一方、上記装填ノブを係合して上記ねじり力を維持するか、上記装填ノブの係合を解除して上記スパイラルトーションスプリングにより上記駆動ローラーを回動させる、トリガーが設けられることを特徴とする、
請求項１に記載のカテーテル施術用ガイドワイヤ挿入器。
【請求項６】
上記駆動ローラーの軸方向一側には被動ギア部が備えられ、上記ハウジングの内部には上記被動ギア部と噛み合う駆動ギアが設けられ、
上記駆動源は、上記駆動ギアに結合されたスパイラルトーションスプリングであり、
上記ハウジングには上記スパイラルトーションスプリングにねじり力を付与するように上記駆動ローラーを回動させる装填ノブが設けられる一方、上記装填ノブを係合して上記ねじり力を維持するか、上記装填ノブの係合を解除して上記スパイラルトーションスプリングのねじり力により上記駆動ローラーを回動させる、トリガーが設けられることを特徴とする、
請求項１に記載のカテーテル施術用ガイドワイヤ挿入器。
【請求項７】
上記駆動源は、上記駆動ローラーに結合された駆動モータであることを特徴とする、
請求項１に記載のカテーテル施術用ガイドワイヤ挿入器。
【請求項８】
上記駆動源は、上記駆動ローラーに結合された駆動モータであり、
上記駆動ローラーの軸方向一側には被動ギア部が備えられ、上記ハウジングの内部には上記被動ギア部と噛み合う駆動ギアが設けられ、上記駆動源は上記駆動ギアに設けられることを特徴とする、
請求項１に記載のカテーテル施術用ガイドワイヤ挿入器。
【請求項９】
上記移送ローラー離隔手段は、
上記移送ローラーがその一端に回転可能に嵌められて上記移送ローラーと共に移動し得るように上記ハウジングに設けられ、係止部を有する移動板部と、
上記移動板部に弾性復元力を加えるように上記ハウジングと上記移動板部との間に設けられた第１弾性体と、
上記係止部をホールドして移動板部の移動を拘束するホールド部と、
上記ホールド部に弾性復元力を加えるように上記ハウジングに設けられた第２弾性体とを含むことを特徴とする、
請求項１に記載のカテーテル施術用ガイドワイヤ挿入器。
【発明の詳細な説明】
【技術分野】
【０００１】
本発明は、カテーテル施術用ガイドワイヤ挿入器に関し、より詳しくは、カテーテル施術のための注射とガイドワイヤ挿入を容易にするカテーテル施術用ガイドワイヤ挿入器に関するものである。
【背景技術】
【０００２】
カテーテル（catheter）は、人体内の病変を観察したり、薬物を注入したり、狭窄した内腔を拡張させることに用いられる医療用導管で、多様な部位の疾病治療に用いられており、特に静脈や動脈などの血管内部に挿入される形態で主に用いられる。
【０００３】
カテーテルの一例として、中心静脈カテーテル（central  venous  catheter）は、静脈内に輸液剤や薬剤を投与する通路の役割をするもので、一般的に手術時や集中治療室又は救急室などで多く施術され、静脈圧を測ったり、カテーテルを静脈内に長時間留置する必要があったり、多量の輸液剤や血液製剤などを容易に且つ短時間内に静脈内に投入する必要がある時に施術される。
【０００４】
カテーテルを静脈内に挿入する部位は、主に鎖骨下静脈、頚静脈、又は大腿静脈又は大伏在静脈であり、施術方法は、鎖骨下静脈内に施術する場合を例として挙げると、先ず比較的太い注射器を鎖骨下静脈に向けて挿入し、静脈血が注射器内に入ること（採血）を確かめて鎖骨下静脈内に注射針が挿入されたことを確認してから、注射針だけ残したまま注射器を抜き、注射針内にガイドワイヤを挿入し、該ガイドワイヤを残した状態で注射針を抜き取る。そして、上記ガイドワイヤに沿ってカテーテルを静脈内に挿入し、カテーテルを残した状態でガイドワイヤを抜き取れば、施術が完了する。頚静脈や大腿静脈内にカテーテルを挿入する場合も同様の方法で施術される。
【０００５】
しかし、このような従来のカテーテル施術の過程は、注射及びカテーテル挿入のための過程が複雑で、特に、注射針だけ残したまま注射器を抜き注射針内にガイドワイヤを挿入する際、施術者の不安定な操作に因る血管損傷などの副作用が発生する可能性が大きく、注射針が血管から抜けることにより施術が失敗する場合が多く、又はガイドワイヤの挿入長さの正確且つ自在な調節が不可能なため、カテーテル施術が非常に不便であるとの問題点があった。
【発明の概要】
【発明が解決しようとする課題】
【０００６】
本発明は、上記問題点を解決するためになされたもので、本発明の目的は、注射とガイドワイヤ挿入を正確且つ容易にしてカテーテル施術の利便性を高めるカテーテル施術用ガイドワイヤ挿入器を提供することにある。
【課題を解決するための手段】
【０００７】
本発明によるカテーテル施術用ガイドワイヤ挿入器は、注射針を備える注射装置と、上記注射針を通してガイドワイヤを挿入するために上記ガイドワイヤを移送するガイドワイヤ移送装置とを含み、注射とガイドワイヤ移送を連続的に行えるように上記注射装置と上記ガイドワイヤ移送装置が一体化されていることを特徴とする。
【０００８】
上記注射装置は、上記注射針の一側に配置されるシリンダ体と、上記シリンダ体内部に摺動可能に結合されたピストンと、上記シリンダ体と上記注射針とを連結する連結管部とを含み、上記連結管部には、その一側から分岐され、上記ガイドワイヤを上記注射針内部に案内するワイヤ通路を有する分岐管部が備えられる。
【０００９】
上記ピストンの端部には、上記ピストンの移動によって上記ガイドワイヤ移送装置の上側部を摺動する摺動部が結合され、施術者が上記ピストンを容易に作動させて注射できるように上記摺動部の外部には注射用引き金が備えられる。
【００１０】
上記分岐管部には、注射時に上記ワイヤ通路を通した漏洩を防止するためにヘモスタシスバルブが備えられる。
【００１１】
上記ガイドワイヤ移送装置は、ハウジングと、上記ガイドワイヤが接触するように上記ハウジングの内部に回動可能に設けられた駆動ローラーと、上記ガイドワイヤを上記駆動ローラーに密着させて回動することにより上記ガイドワイヤを移送する移送ローラーと、上記駆動ローラーを駆動するように上記ハウジングに設けられた駆動源と、上記ガイドワイヤの自由移送又はその移送の準備をするために移送ローラーを上記駆動ローラーから選択的に離隔させる移送ローラー離隔手段とを含む。
【００１２】
上記ハウジングには上記注射装置を支持する支持部が形成され、上記支持部の下側には、上記ガイドワイヤを案内する案内孔が支持部の長手方向に沿って形成された案内帯が形成され、上記案内帯には、上記ガイドワイヤが移送されない場合にガイドワイヤが曲げられて出るように上記案内孔が露出される所定区間の逃避部が形成されている。
【００１３】
上記駆動源は、上記駆動ローラーに結合されたスパイラルトーションスプリングであり、上記ハウジングには上記スパイラルトーションスプリングにねじり力を付与するように上記駆動ローラーを回動させる装填ノブが設けられる一方、上記装填ノブを係合して上記ねじり力を維持するか、上記装填ノブの係合を解除して上記スパイラルトーションスプリングにより上記駆動ローラーを回動させる、トリガーが設けられる。
【００１４】
上記駆動ローラーの軸方向一側には被動ギア部が備えられ、上記ハウジングの内部には上記被動ギア部と噛み合う駆動ギアが設けられ、上記駆動源は、上記駆動ギアに結合されたスパイラルトーションスプリングであり、上記ハウジングには上記スパイラルトーションスプリングにねじり力を付与するように上記駆動ローラーを回動させる装填ノブが設けられる一方、上記装填ノブを係合して上記ねじり力を維持するか、上記装填ノブの係合を解除して上記スパイラルトーションスプリングのねじり力により上記駆動ローラーを回動させる、トリガーが設けられることもできる。
【００１５】
上記駆動源は、上記駆動ローラーに結合された駆動モータであってもよい。
【００１６】
上記駆動ローラーの軸方向一側には被動ギア部が備えられ、上記ハウジングの内部には上記被動ギア部と噛み合う駆動ギアが設けられ、上記駆動源は上記駆動ギアに設けられてもよい。
【００１７】
上記移送ローラー離隔手段は、上記移送ローラーがその一端に回転可能に嵌められて上記移送ローラーと共に移動し得るように上記ハウジングに設けられ、係止部を有する移動板部と、上記移動板部に弾性復元力を加えるように上記ハウジングと上記移動板部との間に設けられた第１弾性体と、上記係止部をホールドして移動板部の移動を拘束するホールド部と、上記ホールド部に弾性復元力を加えるように上記ハウジングに設けられた第２弾性体とを備える。
【００１８】
本発明によるカテーテル施術用ガイドワイヤ挿入器によると、注射とガイドワイヤ挿入を正確且つ容易にしてカテーテル施術の利便性を高めることができる。
【００１９】
即ち、カテーテル挿入時、注射とガイドワイヤ移送が別途の区分動作なしに連続的に可能であるとの効果があるもので、両手を使用せず片手で注射手段（注射器）を作動させることができ、ガイドワイヤを一度の操作で一定の長さ移送することができ、ガイドワイヤの移送長さを微細に調節することができ、ガイドワイヤを自在に移送でき、移送速度を調節でき、移送失敗時にガイドワイヤがそれ以上移送されないようにして安全にカテーテル施術を行うことができる。
【図面の簡単な説明】
【００２０】
【図１】本発明の第１実施例によるカテーテル施術用ガイドワイヤ挿入器を示した全体斜視図である。
【図２】本発明の第１実施例によるカテーテル施術用ガイドワイヤ挿入器の分解斜視図である。
【図３】図１の注射装置の前部分を示した断面図である。
【図４】（ａ）及び（ｂ）は、図２のハウジングフレームの側面図及び立面図である。
【図５】図２のハウジングのハウジングカバーと外筒とが結合した状態の内側を示した斜視図である。
【図６】図２のハウジングフレームの内部に部品が組み立てられた状態を示した斜視図である。
【図７】図２の移送ローラー離隔手段２５０の組立状態図である。
【図８】図７の左から見た斜視図である（駆動ローラーと駆動ギア及びスパイラルトーションスプリングを共に示した）。
【図９】図２の装填ノブを示した立面図である。
【図１０】図６の左から見た斜視図である。
【図１１】本発明の第１実施例によるカテーテル施術用ガイドワイヤ挿入器の作用状態図である。
【図１２】本発明の第１実施例によるカテーテル施術用ガイドワイヤ挿入器の作用状態図である。
【図１３】本発明の第１実施例によるカテーテル施術用ガイドワイヤ挿入器の作用状態図である。
【図１４】本発明の第１実施例によるカテーテル施術用ガイドワイヤ挿入器の作用状態図である。
【図１５】本発明の第１実施例によるカテーテル施術用ガイドワイヤ挿入器の作用状態図である。
【図１６】本発明の第１実施例におけるガイドワイヤの移送失敗時の作用状態図である。
【図１７】本発明の第２実施例によるカテーテル施術用ガイドワイヤ挿入器を示した構成図である。
【符号の説明】
【００２１】
１００  注射装置
１１０  注射針
１２０  シリンダ体
１３０  ピストン
１４０  連結管部
１５０  分岐管部
１６０  摺動部
１７０  ヘモスタシスバルブ
２００  ガイドワイヤ移送装置
２１０  ハウジング
２２０  駆動ローラー
２３０  移送ローラー
２４０  スパイラルトーションスプリング
２５０  移送ローラー離隔手段
２６０  装填ノブ
２７０  トリガー
２８０  駆動ギア
３４０  モータ
Ｗ      ガイドワイヤ
【発明を実施するための形態】
【００２２】
以下、本発明の実施例について添付図面を参照しながら詳しく説明する。
【００２３】
以下では、本発明のカテーテル施術用ガイドワイヤ挿入器について、注射装置が採血装置であることを基準に説明するが、本発明の権利範囲はこれによって制限されず、注射装置が他の用途で使用されることも本発明の権利範囲に含まれることは自明のことと言える。
【００２４】
図１及び図２は、本発明の第１実施例によるカテーテル施術用ガイドワイヤ挿入器を示した全体斜視図及び分解斜視図である。示されているように、本発明のカテーテル施術用ガイドワイヤ挿入器は、全体的に片手で握って円滑に操作できるピストル形態になっており、血管に挿入される注射針１１０を備えて血液を採取する注射装置１００と、上記注射針１１０を通して血管内にガイドワイヤＷを挿入するために上記ガイドワイヤＷを移送するガイドワイヤ移送装置２００とからなり、注射とガイドワイヤ移送を連続的に行えるように上記注射装置１００と上記ガイドワイヤ移送装置２００が一体化された構造になっている。
【００２５】
上記注射装置１００は、上記注射針１１０と、上記注射針１１０を通して採取される血液が入れられるシリンダ体１２０と、上記シリンダ体１２０内部に摺動可能に結合されたピストン１３０と、上記シリンダ体１２０と上記注射針１１０とを連結し、血液が流動する血液通路ＢＨを有する連結管部１４０とを備える。
【００２６】
また、上記連結管部１４０には、上記血液通路ＢＨから分岐され、上記ガイドワイヤＷを上記注射針１１０内部に案内するワイヤ通路ＷＨを有する分岐管部１５０が備えられ、上記ピストン１３０の端部には、上記ピストン１３０の移動により上記ガイドワイヤ移送装置２００の上側部に沿って摺動する摺動部１６０が結合され、施術者が上記ピストン１３０を容易に作動させて採血できるように上記摺動部１６０の外部には注射用引き金１６１が一体に形成され、上記分岐管部１５０の内部には、採血時に上記ワイヤ通路ＷＨからの血液の漏洩を防止するヘモスタシスバルブ１７０が設けられる。
【００２７】
上記ガイドワイヤ移送装置２００は、ハウジングフレーム２１１を有するハウジング２１０と、上記ガイドワイヤＷが接触するように上記ハウジング２１０の内部に回動可能に設けられた駆動ローラー２２０と、上記ガイドワイヤＷを上記駆動ローラー２２０に密着させて回動することにより上記ガイドワイヤＷを移送するように上記ハウジング２１０に設けられた移送ローラー２３０と、上記駆動ローラー２２０を駆動するように上記ハウジング２１０内に設けられたスパイラルトーションスプリング２４０（駆動源）と、上記ガイドワイヤＷの自由移送又はその移送の準備をするために移送ローラー２３０を上記駆動ローラー２２０から選択的に離隔させる移送ローラー離隔手段２５０とを備える。
【００２８】
また、上記ハウジング２１０のハウジングフレーム２１１の上側には、上記注射装置１００のシリンダ体１２０が載置される支持部２１２が一体に形成され、上記ハウジング２１０の後述するハウジングカバー外側には、上記スパイラルトーションスプリング２４０にねじり力を付与するように上記駆動ローラー２２０を回動させる装填ノブ２６０が上記駆動ローラー２２０の軸に設けられ、上記ハウジング２１０のハウジングフレーム２１１外側には、上記装填ノブ２６０を係合して上記ねじり力を維持するか、上記装填ノブ２６０の係合を解除して上記スパイラルトーションスプリング２４０により上記駆動ローラー２２０を回動させるようにトリガー２７０が、ハウジングフレーム２１１の側面に沿って長手方向に摺動可能に設けられる。
【００２９】
図３は、図１の注射装置の前部分を示した断面図である。示されているように、上記注射針１１０は連結管部１４０と一体になっており、上記シリンダ体１２０の前側に突出部が形成され、上記連結管部１４０の後側端が上記突出部に嵌合固定され、上記ピストン１３０の前側端には血液の漏洩を防止するシール部材１３１が嵌められる。
【００３０】
上記分岐管部１５０の内部に設けられたヘモスタシスバルブ１７０は公知のバルブであり、Ｏリング１７１が結合されたスライダー１７２の内部には両端が円錐形をなす弾性体１７３が挿入され、上記スライダー１７２に弾性復元力を加えるスプリング１７４が摺動空間Ｓに備えられ、上記摺動空間Ｓと上記ワイヤ通路ＷＨとが連通孔ＣＨによって連通された構造になっており、第１，第２キャップ部材１７５，１７６によって上記摺動空間Ｓ及びワイヤ通路ＷＨが密閉される。
【００３１】
上記ヘモスタシスバルブ１７０の弾性体１７３は、スライダー１７２と共に、平時は上記スプリング１７４により第１キャップ部材１７５を加圧してガイドワイヤＷを半径方向に収縮させて密閉し、採血時は上記ピストン１３０が左側へ移動することにより上記連通孔ＣＨに負圧が発生して摺動空間Ｓの右側を加圧してガイドワイヤＷを半径方向に収縮させて密閉することにより、血液の漏洩を防止する。
【００３２】
上記摺動部１６０は、上記ハウジングの支持部２１２の外側面に沿って摺動する構造であり、上記ピストン１３０の左側端部が上記摺動部１６０の左側端内部に固定され、摺動部１６０の左側下部には上記ピストン１３０が露出される第１開口部１６２が形成され、上記摺動部１６０の右側上部には上記シリンダ体１２０が露出される第２開口部１６３が形成され、上記摺動部１６０の右側下部には上記引き金１６１が形成された、カバー形態になっている。
【００３３】
図４の（ａ）及び（ｂ）は、図２のハウジングフレームの側面図及び立面図であり、図５は、図２のハウジングのハウジングカバーと外筒とが結合した状態の内側を示した斜視図である。示されているように、上記ハウジング２１０（図２に表示）は、上記シリンダ体１２０が載置される支持部２１２が一体に形成されたハウジングフレーム２１１と、上記ハウジングフレーム２１１を覆うハウジングカバー２１３と、上記ハウジングフレーム２１１及び上記ハウジングカバー２１３に外挿される外筒２１４とからなる。
【００３４】
上記ハウジングフレーム２１１は、内部に収容部が形成され、一側が開口された四角筒形態であり、その外側上端には上記移送ローラー２３０の軸が挿入される溝部２１１ａが形成され、その内側上部には上記移送ローラー離隔手段２５０の後述するホールド部が挿入される収容部２１１ｂが形成され、その外側上部には収容部の形成によって突出する突出部２１１ｃが形成され、上記収容部２１１ｂの下側には上記駆動ローラー２２０の軸が挿入されて駆動ローラー２２０が設けられる孔２１１ｄが形成され、上記孔２１１ｄの下側には上記スパイラルトーションスプリング２４０が挿設されるスプリング設置部２１１ｅが形成され、上記ハウジングフレームの側面には上記ガイドワイヤＷが通過する孔２１１ｆが形成される一方、上記孔２１１ｆの下側には、上記トリガー２７０の後述する係止部が摺動可能に挿入される摺動長孔２１１ｇが形成された構造である。
【００３５】
上記支持部２１２は、上側が開かれた筒形態であり、その下側には、上記ガイドワイヤＷを案内する案内孔２１２ａが支持部２１２の長手方向に沿って形成された案内帯２１２ｂが形成され、上記案内帯２１２ｂには、上記ガイドワイヤが移送されない場合にガイドワイヤＷが曲げられて離脱するように上記案内孔２１２ａが外部に露出される所定区間Ｌの逃避部２１２ｃが形成されている。
【００３６】
図６は、ハウジングフレーム２１１の内部に、上記駆動ローラー２２０、後述する駆動ギア、上記移送ローラー２３０、上記スパイラルトーションスプリング２４０、上記移送ローラー離隔手段２５０、上記トリガー２７０、上記トリガー２７０の後述する係止部２７１ａとホールド部２７４及びホールド筒２７６、上記ガイドワイヤＷを保護する保護管ＷＰを案内する案内部２８１が設けられた状態を示している。
【００３７】
上記ハウジングカバー２１３は、上記ハウジングフレーム２１１の開口部を覆うカバーであり、駆動ローラーと対向する面には、上記駆動ローラー２２０の後述する突起が案内されて上記ガイドワイヤＷを該当円弧の長さだけ移送する円弧帯状の案内溝２１３ａが刻設され、その上端付近の外側縁には上記移送ローラー２３０の軸が挿入される溝部２１３ｂが形成され、上記ハウジングカバー２１３において、上記溝部２１３ｂとは反対側となる上側面には、上記移送ローラー離隔手段２５０の後述するノブ軸が摺動可能に挿入される摺動長孔２１３ｃが形成され、上記案内溝２１３ａによって囲まれた領域の中心部には上記駆動ローラー２２０の軸が挿入されて駆動ローラー２２０が設けられる孔２１３ｄが形成され、上記孔２１３ｄの下側には後述する駆動ギアが設けられる孔２１３ｅが形成された構造である。
【００３８】
図６に示されているように、上記駆動ローラー２２０の軸方向一側には被動ギア部２２１が形成され、上記ハウジング２１０のハウジングフレーム２１１の内部には上記被動ギア部２２１と噛み合う駆動ギア２８０が設けられ、上記スパイラルトーションスプリング２４０は上記スプリング設置部２１１ｅに設けられて上記駆動ギア２８０を駆動するようになっている。このように駆動ギア２８０を備える構造は、増速又は減速してガイドワイヤの移送速度を制御できる。上記駆動ローラー２２０には、上記案内溝２１３ａに嵌められて案内される突起２２２が形成される。
【００３９】
一方、上記被動ギア部２２１と駆動ギア２８０なしに上記スパイラルトーションスプリング２４０が上記駆動ローラー２２０に直接設けられて上記駆動ローラー２２０を駆動することもできる。
【００４０】
上記移送ローラー２３０は、図１に示されているように、使用者が手で回動させて、上記駆動ローラー２２０に接触しているガイドワイヤＷを移送させることができるように、上記ハウジング２１０の外部に露出して設けられる。
【００４１】
図７は、図２の移送ローラー離隔手段２５０の組立状態図であり、図８は、図７の左から見た斜視図（駆動ローラーと駆動ギア及びスパイラルトーションスプリングを共に示した）である。示されているように、上記移送ローラー離隔手段２５０は、上記移送ローラー２３０がその一端に回転可能に嵌められて上記移送ローラー２３０と共に移動し得るように上記ハウジング２１０に設けられ、係止部２５１ａを有する移動板部２５１と、上記移動板部２５１に弾性復元力を加えるように上記ハウジング２１０と移動板部２５１との間に設けられた第１弾性体２５２（コイルスプリング）と、上記係止部２５１ａをホールドして移動板部２５１の移動を拘束するホールド部２５３と、上記ホールド部２５３に弾性復元力を加える第２弾性体２５４（スプリング）とを備える。
【００４２】
上記移動板部２５１で、上記移送ローラー２３０が嵌められる側とは反対側の端部には、上記ハウジングカバー２１３の摺動長孔２１３ｃに挿入されるノブ軸２５１ｂが突設され、上記ノブ軸２５１ｂの端部には、使用者が操作できるようにハウジングカバー２１３の外側に露出されるノブ２５１ｃが形成される。上記ノブ軸２５１ｂの端部とは反対となる側（移動板部の背面側）には、上記係止部２５１ａが突設される。
【００４３】
上記第１弾性体２５２（コイルスプリング）は、その一端が上記移動板部２５１に係着され、他端は上記ハウジング２１０の突出部（図示せず）に係着される。
【００４４】
上記ホールド部２５３は、上記係止部２５１ａの両側を挟み込むフック形態をなし、ヒンジ軸（図示せず）を中心に作動するようになっている。上記ホールド部２５３はホールド筒２５５の内部に挿設され、上記ホールド筒２５５は上記ハウジングフレーム２１１の収容部２１１ｂ（図４に図示）に挿設される。上記第２弾性体２５４は、上記ホールド筒２５５内に挿入されて上記ホールド部２５３を作動するようになっている。上記ホールド筒２５５なしに、上記ホールド部２５３と上記第２弾性体２５４がハウジングフレーム２１１の内部に設けられてホールド部２５３を作動するように構成されてもよい。
【００４５】
図９に示されているように、上記装填ノブ２６０は、上記トリガー２７０の後述する係止溝に係合するように外周面に形成された係止段２６１と、使用者が指をかけて容易に回動できるように外周面に形成された凹入部２６２と、上記駆動ローラー２２０の軸２２３に嵌められる固定孔２６３とが形成された円板形態からなる。また、図１に示されているように、上記装填ノブ２６０は、使用者が操作できるようにハウジング２１０の外部に露出して設けられる。
【００４６】
図１０は、図６の左から見た斜視図である。図６及び図１０に示されているように、上記トリガー２７０は、上記ハウジングフレーム２１１の側面に上下方向に摺動可能に嵌められ、上記孔２１１ｇを介してハウジングフレーム２１１の内部に突出した係止部２７１ａを有するトリガー本体２７１と、上記ハウジングフレーム２１１の内部から孔２１１ｆを介して外部に抜け出るガイドワイヤＷを覆って案内するように上記トリガー本体２７１に結合されたトリガーカバー２７２と、上記トリガー本体２７１及びトリガーカバー２７２に弾性復元力を加えるように、上記ハウジングフレーム２１１の外部に設けられた第３弾性体２７３（コイルスプリング）とを備える。
【００４７】
上記ハウジングフレーム２１１の内部には、上記係止部２７１ａをホールドして上記トリガー本体２７１の移動を拘束するホールド部２７４と、上記ホールド部２７４に弾性復元力を加える第４弾性体２７５（コイルスプリング）とが設けられる。上記ホールド部２７４は、ホールド筒２７６の内部に挿設される。
【００４８】
上記係止部２７１ａ、ホールド部２７４、第４弾性体２７５及びホールド筒２７６は、上記移送ローラー離隔手段２５０の係止部、ホールド部、第２弾性体及びホールド筒と類似するため、詳しい説明は省略する。
【００４９】
上記ガイドワイヤＷは、ローラー（図示せず）から繰り出され上記保護管ＷＰの内部を通して上記ハウジングフレーム２１１内部に案内される。上記案内部２８１は、上記ハウジングフレーム２１１の内部下側に設けられ、上記保護管ＷＰを支えるリング形態からなる。
【００５０】
このように構成された本発明の第１実施例によるカテーテル施術用ガイドワイヤ挿入器において、図１１に示されているように、保護管ＷＰにガイドワイヤＷを嵌め、トリガー２７０に沿って上記駆動ローラー２２０と移送ローラー２３０との間を通過し、ハウジング２１０の支持部２１２の案内孔２１２ａ（図４参照）を経てヘモスタシスバルブ１７０を通り、注射針１１０の内部に至るように設け、注射針１１０の端部を患者の静脈内に挿入した後、図１２に示されているように、注射装置１００の摺動部１６０の引き金１６１を矢印Ａ方向に引くと、ピストン１３０の作動によって患者の静脈からシリンダ体１２０内に血液が吸引される（採血）。この時、ガイドワイヤ移送装置２００のスパイラルトーションスプリング２４０には弾性力が付与されて装填ノブ２６０はトリガー２７０に係合した状態である。
【００５１】
上記採血を確認した後、図１３に示されているように、トリガー２７０を矢印Ｂ方向に少し上げ下げすると、装填ノブ２６０の係合が解除されて駆動ローラー２２０が時計方向に回転して、駆動ローラー２２０と移送ローラー２３０との間に嵌められているガイドワイヤＷが移送される。この時、駆動ローラー２２０に結合された突起２２２（図６参照）がハウジングカバー２１３の内面に形成された案内溝２１３ａ（図５参照）に沿って案内されて、ガイドワイヤＷが所定長さ（案内溝の長さ）だけ移送される。
【００５２】
一方、この状態で図１４に示されているように、移送ローラー２３０を手で回転させると（矢印Ｃ方向）、ガイドワイヤＷを微細に移送して移送距離を調整することができる。
【００５３】
そして、ガイドワイヤＷを自由にして手で自在に移送（矢印Ｄ方向）しようとする場合は、図１５に示されているように、移送ローラー離隔手段２５０（図７及び図８参照）のノブ２５１ｃを後側に引いてその係止部２５１ａをホールド部２５３に係合すると、移送ローラー２３０が駆動ローラー２２０から所定間隔ＣＬで離れた状態を維持するため、ガイドワイヤＷを自在に移送することができる。
【００５４】
一方、ガイドワイヤＷの移送が失敗する場合は、図１６に示されているように、支持部２１２の下側部に形成された所定区間（Ｌ）の逃避部２１２ｃによりガイドワイヤＷの一部が外部に曲げられて出て（Ｗ１と表示）、それ以上移送されない。
【００５５】
また、トリガー２７０の上側部でもガイドワイヤＷの一部が外部に曲げられて出て（Ｗ２と表示）それ以上移送されなくなる。この時、移送ローラー２３０は、移送ローラー離隔手段２５０の第１弾性体２５２（コイルスプリング）によって支持されているため、一定以上の力がかかるとガイドワイヤＷがスリップして移送されなくなる。
【００５６】
移送が失敗して再移送する場合は、上記装填ノブ２６０を反時計方向に回転させて装填ノブ２６０をトリガー２７０に係合して再装填する。
【００５７】
図１７は、本発明の第２実施例によるカテーテル施術用ガイドワイヤ挿入器を示した構成図である。本実施例（第２実施例）では、駆動源であるスパイラルトーションスプリング２４０（第１実施例）がモータ３４０に代替された構造であり、ハウジングフレーム２１１’の内部には乾電池３９１及び制御部３９２が設けられ、ハウジングフレーム２１１’の外部側面には上記モータ３４０を駆動するスイッチ３９３が設けられる一方、ガイドワイヤＷを案内するワイヤ案内部３７０が設けられる。
【００５８】
第２実施例では、モータ３４０と制御部３９２によってガイドワイヤの移送が制御されるため、第１実施例の装填ノブ２６０、トリガー２７０、第３弾性体２７３、ホールド部２７４、第４弾性体２７５及びホールド筒２７６が不要である。
【００５９】
第２実施例でも上記被動ギア部２２１と駆動ギア２８０なしに、上記モータ３４０が上記駆動ローラー２２０に直接設けられて上記駆動ローラー２２０を駆動することもできる。
【００６０】
第２実施例の残りの構成は第１実施例と同一であるため、詳しい説明は省略する。
【００６１】
本発明は図面に示された実施例を参考に説明されたが、これは例示的なものに過ぎず、本技術分野における通常の知識を有する者ならば、これから多様な変形及び均等な他の実施例が可能であることは勿論のこと、本発明の技術的保護範囲は添付の特許請求範囲の技術的思想によって定められなければならないと言える。
【図１】
0005945749.tif 000002
【図２】
0005945749.tif 000003
【図３】
0005945749.tif 000004
【図４（ａ）】
0005945749.tif 000005
【図４（ｂ）】
0005945749.tif 000006
【図５】
0005945749.tif 000007
【図６】
0005945749.tif 000008
【図７】
0005945749.tif 000009
【図８】
0005945749.tif 000010
【図９】
0005945749.tif 000011
【図１０】
0005945749.tif 000012
【図１１】
0005945749.tif 000013
【図１２】
0005945749.tif 000014
【図１３】
0005945749.tif 000015
【図１４】
0005945749.tif 000016
【図１５】
0005945749.tif 000017
【図１６】
0005945749.tif 000018
【図１７】
0005945749.tif 000019